(57)【要約】【課題】リテーナが不用意に離脱するのを防止する。【解決手段】ハウジング１０に形成されたロック部１８は、リテーナ５０の装着完了時に、突出方向基端側においてロック受け部６４にロック片６１の開き方向及び抜け方向で対向して配置される逆テーパ状の基端側係止面２３と、突出方向先端側においてロック受け部６４にロック片６１の抜け方向で対向して配置され、且つ基端側係止面２３よりも緩い傾斜角でロック受け部６４にロック片６１の開き方向で対向するか又は対向せずに配置される先端側係止面２４とを有する。ロック片６１の先端部に形成されたロック受け部６４は、リテーナ５０の装着完了時に、基端側係止面２３に対面して配置される逆テーパ状の先端側係止受け面６５と、先端側係止面２４に対面して配置される基端側係止受け面６６とを有する。【選択図】図４
2014049299.tif 000002
【特許請求の範囲】
【請求項１】
端子金具を収容可能なハウジングと、
前記ハウジングに装着され、装着完了時に前記端子金具を前記ハウジングに対して抜け止めするリテーナとを備え、
前記ハウジングの側面にはロック部が突出して形成され、前記リテーナには撓み可能なロック片が延出して形成され、前記ロック片の先端部にはロック受け部が形成されており、前記リテーナの装着過程では前記ロック部に前記ロック受け部が干渉して前記ロック片が開き方向に弾性変位し、前記リテーナの装着完了時には前記ロック片が閉じ方向に弾性変位して前記ロック部に前記ロック受け部が抜け方向に係止可能に配置され、これによって前記リテーナが前記ハウジングに抜け止めされるようになっているコネクタであって、
前記ロック部は、前記リテーナの装着完了時に、前記ロック受け部に前記ロック片の開き方向及び抜け方向で対向して配置される逆テーパ状の基端側係止面と、突出方向先端側において前記ロック受け部に前記ロック片の抜け方向で対向して配置され、且つ前記基端側係止面よりも緩い傾斜角で前記ロック受け部に前記ロック片の開き方向で対向するか又は対向せずに配置される先端側係止面とを有し、
前記ロック受け部は、前記リテーナの装着完了時に、前記基端側係止面に対面して配置される逆テーパ状の先端側係止受け面と、前記先端側係止面に対面して配置される基端側係止受け面とを有することを特徴とするコネクタ。
【請求項２】
前記ロック部の前記先端側係止面は、前記リテーナの装着完了時に、前記ロック受け部に前記ロック片の閉じ方向で対向して配置される順テーパ状の形態とされ、前記ロック受け部の前記基端側係止受け面は、前記先端側係止面に対面して配置される順テーパ状の形態とされていることを特徴とする請求項１記載のコネクタ。
【請求項３】
前記基端側係止面及び前記先端側係止面が互いに連続して形成され、前記先端側係止受け面及び前記基端側係止受け面が互いに連続して形成されていることを特徴とする請求項１又は２記載のコネクタ。
【発明の詳細な説明】
【技術分野】
【０００１】
本発明は、コネクタに関する。
【背景技術】
【０００２】
特許文献１に開示のコネクタは、端子金具を収容可能なハウジングと、ハウジングに装着され、装着完了時に端子金具をハウジングに対して抜け止めするリテーナとを備えている。ハウジングの側面にはロック部が突出して形成され、リテーナには撓み可能なロック片が延出して形成されている。また、ロック片の先端部には、ロック受け部が形成されている。
【０００３】
リテーナがハウジングに装着される過程では、ロック受け部がロック部に干渉してロック片が外側に弾性的に開き変形させられる。その後、リテーナがハウジングに正規装着されるに伴い、ロック片が内側に弾性的に閉じ変形して、ロック受け部がロック部に抜け方向で係止可能に配置され、これによってリテーナがハウジングに抜け止めされるようになっている。
【０００４】
ここで、ロック部は、突出方向の略全長に亘ってロック片の閉じ方向及び抜け方向に対向して配置される順テーパ状の係止面を有し、ロック受け部はリテーナの装着完了時に係止面に対面して配置される順テーパ状の係止受け面を有している。
【先行技術文献】
【特許文献】
【０００５】
【特許文献１】特開２００３−１００３７６号公報（第１３図）
【発明の概要】
【発明が解決しようとする課題】
【０００６】
上記従来のコネクタの場合、ロック片が閉じ方向に弾性復帰する際に、ロック部の係止面とロック受け部の係止受け面とが互いに摺動し合うことにより、ロック片の閉じ方向への復帰動作が円滑になされ、リテーナの良好な装着作業性が確保されるようになっていた。一方、係止面と係止受け面とがいずれも順テーパ状の形態とされているため、ロック片が外側に開き変形し易く、異物等の外力が加わったときに、リテーナがハウジングから不用意に離脱するおそれがあった。
【０００７】
本発明は上記のような事情に基づいて完成されたものであって、リテーナが不用意に離脱するのを防止することを目的とする。
【課題を解決するための手段】
【０００８】
本発明は、端子金具を収容可能なハウジングと、前記ハウジングに装着され、装着完了時に前記端子金具を前記ハウジングに対して抜け止めするリテーナとを備え、前記ハウジングの側面にはロック部が突出して形成され、前記リテーナには撓み可能なロック片が延出して形成され、前記ロック片の先端部にはロック受け部が形成されており、前記リテーナの装着過程では前記ロック部に前記ロック受け部が干渉して前記ロック片が開き方向に弾性変位し、前記リテーナの装着完了時には前記ロック片が閉じ方向に弾性変位して前記ロック部に前記ロック受け部が抜け方向に係止可能に配置され、これによって前記リテーナが前記ハウジングに抜け止めされるようになっているコネクタであって、前記ロック部は、前記リテーナの装着完了時に、前記ロック受け部に前記ロック片の開き方向及び抜け方向で対向して配置される逆テーパ状の基端側係止面と、突出方向先端側において前記ロック受け部に前記ロック片の抜け方向で対向して配置され、且つ前記基端側係止面よりも緩い傾斜角で前記ロック受け部に前記ロック片の開き方向で対向するか又は対向せずに配置される先端側係止面とを有し、前記ロック受け部は、前記リテーナの装着完了時に、前記基端側係止面に対面して配置される逆テーパ状の先端側係止受け面と、前記先端側係止面に対面して配置される基端側係止受け面とを有するところに特徴を有する。
【発明の効果】
【０００９】
リテーナの装着完了時に、ロック受け部の先端側係止受け面がロック部の基端側係止面に対面して配置され、ロック部の突出方向基端側ではロック片が開き変形し難い形態になるため、リテーナが不用意に離脱するのを防止することができる。一方、ロック受け部の基端側係止面がロック部の先端側係止面に対面して配置され、ロック部の突出方向先端側では基端側に比べてロック片が開き変形し易い形態になるため、メンテナンス等の事情に応じて、ハウジングからリテーナを取り外すことも可能となる。
【図面の簡単な説明】
【００１０】
【図１】本発明の実施例１のコネクタの正面図である。
【図２】ロック受け部にロック部が乗り上げられた状態をあらわす断面図である。
【図３】ロック受け部がロック部の先端側係止面を摺動する状態をあらわす断面図である。
【図４】ロック受け部がロック部に係止された状態をあらわす断面図である。
【図５】ハウジングの正面図である。
【図６】ハウジングの側面図である。
【図７】リテーナの正面図である。
【図８】リテーナの平面図である。
【発明を実施するための形態】
【００１１】
本発明の好ましい形態を以下に示す。
前記ロック部の前記先端側係止面は、前記リテーナの装着完了時に、前記ロック受け部に前記ロック片の閉じ方向で対向して配置される順テーパ状の形態とされ、前記ロック受け部の前記基端側係止受け面は、前記先端側係止面に対面して配置される順テーパ状の形態とされている。リテーナの装着完了時に、ロック受け部の基端側係止受け面がロック部の先端側係止面に対面して配置され、ロック部の突出方向先端側ではロック片が支障なく開き変形する形態になるため、ハウジングからリテーナを容易に取り外すことができる。
【００１２】
前記基端側係止面及び前記先端側係止面が互いに連続して形成され、前記先端側係止受け面及び前記基端側係止受け面が互いに連続して形成されている。これにより、ロック部及びロック受け部が大型になるのが回避される。
【００１３】
＜実施例１＞
本発明の実施例１を図１〜図８によって説明する。本実施例のコネクタは、ハウジング１０と、リテーナ５０と、端子金具９０とを備えている。
端子金具９０は導電性金属板を曲げ加工等して一体に成形され、図２に示すように、図示しない相手端子金具のタブに挿入接続可能な筒状の接続部９１と、接続部９１の後方において電線の端末部に接続されるオープンバレル状のバレル部９２とを有している。
【００１４】
ハウジング１０は合成樹脂製であって、図５に示すように、略角ブロック状のハウジング本体１１と、ハウジング本体１１の上面に突出して形成されたロックアーム１２とを有している。ハウジング１０が図示しない相手ハウジングに嵌合されると、ロックアーム１２が相手ハウジングを弾性的に係止して、両ハウジングが嵌合状態に保持されるようになっている。
【００１５】
ハウジング本体１１の内部には、図５に示すように、上下２段で且つ幅方向に複数のキャビティ１３が前後方向に延出して形成されている。キャビティ１３の内壁下面には、撓み可能なランス１４が前方へ突出して形成されている。ハウジング本体１１の各キャビティ１３内には後方から端子金具９０が挿入され、正規挿入された端子金具９０はランス１４によって弾性的に係止されるようになっている。ハウジング本体１１の前面には、各キャビティ１３の開口周りに、相手側のタブを誘い込むことが可能なテーパ状の誘い込み面１５が前方に拡開して形成されている。
【００１６】
また、ハウジング本体１１には、図５に示すように、下段の各キャビティ１３を挟んだ上下両側に、幅方向に延びる上下一対のスリット１６が前方に開口して形成されている。上下両側のスリット１６のうち、上側のスリット１６には上段の各キャビティ１３のランス１４が撓み変形する空間が形成され、下段のスリット１６には下段の各キャビティ１３のランス１４が撓み変形する空間が形成されている。
【００１７】
ハウジング本体１１における両スリット１６の下面には、各キャビティ１３と対応する位置に、前後方向に延びる複数のガイド溝１７が凹み形成されている。図５に示すように、各ガイド溝１７のうち、上側のスリット１６に対応する上側の各ガイド溝１７は、下側の各キャビティ１３に臨み、下側の各キャビティ１３の誘い込み面１５に開口する形態とされている。また、本実施例の場合、幅方向に３つ並ぶガイド溝１７のうち、中央のガイド溝１７が、図示左側のガイド溝１７寄りにやや偏心して配置されている。
【００１８】
ハウジング本体１１の両側面には、図５に示すように、ハウジング本体１１の下端部から上段のキャビティ１３に至るまでの高さ範囲に、前後方向に延びる一対の凹部１９が凹み形成されている。ハウジング本体１１の両凹部１９は、ハウジング本体１１の上下両端部から一段落ちた底面２０を有している。図６に示すように、両凹部１９の底面２０には両スリット１６の幅方向両端が開口している。
【００１９】
また、図５及び図６に示すように、両凹部１９の底面２０には、ハウジング本体１１の前側で且つ下段の各キャビティ１３とほぼ同じ高さ位置に、一対のロック部１８が突出して形成されている。図２に示すように、ロック部１８は、前後方向に関してランス１４の前端よりも前方に位置し、凹部１９の深さ範囲に収まる突出寸法を有している。
【００２０】
図２に示すように、両ロック部１８の前面は、突出端側（外側）に行くに従って後退するテーパ状の案内面２１とされ、両ロック部１８の突出端面（外端面）は、前後方向にほぼ沿った平坦面２２とされている。
【００２１】
また、図２に示すように、両ロック部１８の後面は、後述するロック受け部６４を係止可能な係止面２３、２４とされている。本実施例の場合、係止面２３、２４は、両ロック部１８の突出方向基端側（凹部１９の底面２０に近い側）に位置する基端側係止面２３と、両ロック部１８の突出方向先端側（凹部１９の底面２０から離れる側）に位置する先端側係止面２４とからなり、先端側係止面２４及び基端側係止面２３がそれぞれ異なる方向に傾斜する形態とされている。
【００２２】
具体的には、両ロック部１８の係止面２３、２４は、両ロック部１８の基端寄りの位置に高さ方向にほぼ沿った線状の突条２５を有し、突条２５を境とする基端側に基端側係止面２３を有し、先端側に先端側係止面２４を有している。そして、基端側係止面２３は、突条２５に向けて凹部１９の底面２０から後退する逆テーパ状の形態とされ、先端側係止面２４は、突出端（外端）に向けて突条２５から前進する順テーパ状の形態とされている。先端側係止面２４の形成範囲は、基端側係止面２３の形成範囲よりも大きくされている。また、幅方向に対する基端側係止面２３の傾斜角は、幅方向に対する先端側係止面２４の傾斜角よりも大きくされている。
【００２３】
言い換えれば、図４に示すように、基端側係止面２３は、リテーナ５０の装着完了時に、ロック受け部６４に対し、ハウジング１０から離間する方向となる幅方向外側（後述するロック片６１の開き方向Ａ）で対向し、且つ後方（ロック片６１の抜け方向Ｂ）で対向する逆テーパ面とされている。また、先端側係止面２４は、リテーナ５０の装着完了時に、ロック受け部６４に対し、ハウジング１０に近づく方向となる幅方向内側（ロック片６１の閉じ方向Ｃ）で対向し、且つ後方（ロック片６１の抜け方向Ｂ）で対向する順テーパ面とされている。
【００２４】
続いてリテーナ５０について説明する。リテーナ５０は合成樹脂製であって、ハウジング本体１１に対して前方から装着可能とされている。図７に示すように、リテーナ５０は、略矩形枠状の前枠部５１を備えている。図１に示すように、前枠部５１は、ハウジング本体１１の両スリット１６内及び両凹部１９内に位置決め状態で嵌合可能とされている。
【００２５】
前枠部５１の上壁５２及び下壁５３には、一対の板状の規制板５４が後方へ略水平に突出して形成されている。両規制板５４のうち、上側の規制板５４は、装着時に上段の各キャビティ１３のランス１４の撓み動作を規制し、下段の規制板５４は、装着時に下側の各キャビティ１３のランス１４の撓み動作を規制するようになっている。図８に示すように、規制板５４には、前後方向に延びて後端に開口する複数の凹溝５５、５６、５７が幅方向に間隔をあけて形成されている。各凹溝５５、５６、５７は、幅方向に３つ並ぶランス１４のうち、中央のランス１４と図示左側のランス１４との間に位置して前後方向に比較的長く延びる第１凹溝５５と、中央のランス１４と図示右側のランス１４との間に位置して前後方向に極短く延びる第２凹溝５６と、両端側のランス１４と後述するロック片６１との間に位置して前後方向に最も長く延びる一対の第３凹溝５７とからなる。リテーナ５０がハウジング１０に装着されると、第１、第２凹溝５５、５６内に隣接するキャビティ１３間の隔壁が進入して逃がされ、且つ、両第３凹溝５７は両スリット１６の両端開口と噛み合うように配置される。
【００２６】
また、図８に示すように、両規制板５４には、複数のガイドリブ５８が前後方向に延出して形成されている。各ガイドリブ５８は、幅方向に間隔をあけて並んで配置され、詳細には、図示右側の第３凹溝５７と隣接する位置に１つ、第１凹溝５５を挟んだ両側の隣接位置に２つ、配置されている。そして、図１に示すように、各ガイドリブ５８は、リテーナ５０の装着時に各ガイド溝１７内に位置決め状態で挿入されるようになっている。
【００２７】
図７及び図８に示すように、前枠部５１の左右両側壁５９には、一対の板状のロック片６１が後方へ略垂直に突出して形成されている。両ロック片６１は、前枠部５１との連結位置を支点として内外に撓み変形可能とされている。図４に示すように、リテーナ５０の装着完了時には、両ロック片６１がハウジング本体１１を抱持した状態で両凹部１９内に嵌合して両凹部１９の底面２０に当接するようになっている。
【００２８】
両ロック片６１の内面には、図７及び図８に示すように、両ロック片６１の高さ方向略中央部で且つ上壁５２及び下壁５３との間に、前後方向に長く延びて前端に開口する一対のロック溝６２が凹み形成されている。また、図２に示すように、両ロック片６１の内面には、後述するロック受け部６４を挟んでロック溝６２とは反対側の位置に、前後方向に短く延びて後端に開口する一対の副ロック溝６３が凹み形成されている。副ロック溝６３の深さは、ロック溝６２の深さより浅くされている。
【００２９】
そして、図２に示すように、両ロック片６１の後端部（先端部）の内面には、一対のロック受け部６４が形成されている。ロック受け部６４の前面はロック溝６２の奥面で構成され、ロック受け部６４の後面が副ロック溝６３の奥面で構成され、ロック受け部６４の先端面（内端面）は両ロック片６１の内面で構成されている。つまり、ロック受け部６４はロック片６１の厚み範囲に形成されている。
【００３０】
両ロック受け部６４の後面は、内側に行くに従って前進するテーパ状の案内受け面６８とされ、両ロック受け部６４の内端面は、前後方向にほぼ沿ったフラット面６９とされている。
【００３１】
両ロック受け部６４の前面は、リテーナ５０の装着完了時に、ロック部１８の係止面２３、２４と対面して配置される係止受け面６５、６６とされている。係止受け面６５、６６は、両ロック受け部６４の内側に位置して基端側係止面２３とほぼ平行に対面可能な先端側係止受け面６５と、両ロック受け部６４の外側に位置して先端側係止面２４とほぼ平行に対面可能な基端側係止受け面６６とからなり、基端側係止受け面６６及び先端側係止受け面６５がそれぞれ異なる方向に傾斜する形態とされている。
【００３２】
そして、図２に示すように、両ロック受け部６４の係止受け面６５、６６は、両ロック受け部６４の内端側（先端側）に高さ方向にほぼ沿った線状の凹条６７を有し、凹条６７を境とする内側に先端側係止受け面６５を有し、外側に基端側係止受け面６６を有している。先端側係止受け面６５は、凹条６７に向けてフラット面６９から後退する逆テーパ状の形態とされ、基端側係止受け面６６は、外側端（ロック溝６２の溝底）に向けて凹条６７から前進する順テーパ状の形態とされている。また、基端側係止受け面６６の形成範囲は、先端側係止受け面６５の形成範囲よりも大きくされ、幅方向に対する先端側係止受け面６５の傾斜角は、幅方向に対する基端側係止受け面６６の傾斜角よりも大きくされている。
【００３３】
図４に示すように、先端側係止受け面６５は、リテーナ５０の装着完了時に、基端側係止面２３に対面して配置されるものであって、ハウジング１０に近づく方向となる幅方向内側（ロック片６１の閉じ方向Ｃ）に向かう進行方向に対向し、且つ前方（ロック片６１の装着方向Ｄ）に向かう進行方向に対向する逆テーパ面とされている。また、基端側係止受け面６６は、リテーナ５０の装着完了時に、先端側係止面２４に対面して配置されるものであって、ハウジング１０から離間する方向となる幅方向外側（ロック片６１の開き方向Ａ）に向かう進行方向に対向し、且つ前方（ロック片６１の装着方向Ｄ）に向かう進行方向に対向する順テーパ面とされている。
【００３４】
次に、本実施例の作用効果を説明する。
組み付けに際し、ハウジング本体１１の各キャビティ１３内に後方から端子金具９０が挿入され、続いて、ハウジング本体１１に前方からリテーナ５０が装着される。リテーナ５０の装着過程では、各ガイドリブ５８が各ガイド溝１７内に前方から進入してその装着動作が案内がなされ、且つ、両ロック片６１が両凹部１９に前方から進入して両ロック受け部６４が両ロック部１８に干渉し、両ロック受け部６４の案内受け面６８が両ロック部１８の案内面２１を摺動して、両ロック片６１が外側に弾性的に開き変形させられる。図２に示すように、両ロック受け部６４が両ロック部１８の平坦面２２を摺動する段階では、両ロック片６１が最も外側に拡開した状態となる。
【００３５】
その後、リテーナ５０が装着完了位置に至ると、両規制板５４が各ランス１４の撓み空間に進入して各ランス１４の撓み動作が規制され、これによって各キャビティ１３内に挿入された端子金具９０が各ランス１４と両規制板５４とによって実質的に二重係止される。また、図３から図４にかけて示すように、リテーナ５０が装着完了位置に至ると、両ロック片６１が内側に弾性的に閉じられ、その変位過程で、両ロック受け部６４が両ロック部１８の先端側係止面２４を摺動する。図４に示すように、両ロック片６１がほぼ自然状態にまで復帰すると、両ロック受け部６４のフラット面６９が凹部１９の底面２０に当接するとともに、両先端側係止受け面６５が両基端側係止面２３に対面して配置され、両基端側係止受け面６６が両先端側係止面２４に対面して配置される。この状態からリテーナ５０が少し前方へ戻ると、両先端側係止受け面６５が両基端側係止面２３に当接するとともに、両基端側係止受け面６６が両先端側係止面２４に当接して、リテーナ５０の前方への離脱が規制されるようになっている。
【００３６】
ところで、仮に、ロック片６１に外部から異物等が干渉し、又はリテーナ５０全体に幅方向へのこじり力が作用して、ロック片６１に開き方向の外力が付与されても、ロック部１８の基端側で先端側係止受け面６５と基端側係止面２３とがロック片６１の開き方向に抗して緊密に当接し合うことになるため、ロック片６１がロック部１８から外れるのが阻止される。その結果、リテーナ５０がハウジング１０から不用意に離脱するのが防止される。
【００３７】
一方、メンテナンス等の事情に応じて、ハウジング１０からリテーナ５０を取り外す際には、ハウジング本体１１の凹部１９内に後方から図示しない治具の先端部を挿入し、治具の先端部をロック受け部６４とロック部１８との間に差し込むようにする。すると、図３に示すように、ロック受け部６４がロック部１８の先端側係止面２４を摺動して、ロック片６１が外側に円滑に開き変形させられる。この場合、ロック受け部６４が先端側係止面２４を摺動する距離は、ロック受け部６４が基端側係止面２３を摺動する距離よりも長くされているため、ロック片６１の開き動作が良好になされる。したがって、本実施例によれば、ハウジング１０からリテーナ５０を支障なく取り外すことができる。
【００３８】
また、基端側係止面２３と先端側係止面２４とが互いに連続して形成され、且つ先端側係止受け面６５と基端側係止受け面６６とが互いに連続して形成されているため、ロック部１８及びロック受け部６４が大型になるのが回避される。
【００３９】
＜他の実施例＞
本発明は上記記述及び図面によって説明した実施形態に限定されるものではなく、例えば次のような実施形態も本発明の技術的範囲に含まれる。
（１）ロック部の先端側係止面は、基端側係止面よりも幅方向に対する傾斜角が緩い逆テーパ状の形態であってもよく、あるいは幅方向に沿った形態であってもよい。また、ロック受け部の基端側係止受け面は、先端側係止受け面よりも幅方向に対する傾斜角が緩い逆テーパ状の形態であってもよく、あるいは幅方向に沿った形態であってもよい。
（２）リテーナは、ハウジングに対して側方から装着されるサイドタイプのものであってもよい。この場合、リテーナは、装着完了位置で端子金具に抜け方向で当接可能な抜け止め部を有するものであるとよい。
（３）リテーナは、ハウジングに浅く装着されて端子金具のキャビティ内への挿抜を許容する仮係止位置と、ハウジングに深く装着されて端子金具のキャビティからの抜けを規制する本係止位置とに移動可能とされるものであってもよい。
【符号の説明】
【００４０】
１０…ハウジング
１８…ロック部
２３…基端側係止面
２４…先端側係止面
５０…リテーナ
６１…ロック片
６４…ロック受け部
６５…先端側係止受け面
６６…基端側係止受け面
９０…端子金具
【図１】
2014049299.tif 000003
【図２】
2014049299.tif 000004
【図３】
2014049299.tif 000005
【図４】
2014049299.tif 000006
【図５】
2014049299.tif 000007
【図６】
2014049299.tif 000008
【図７】
2014049299.tif 000009
【図８】
2014049299.tif 000010